(57)【要約】無線通信システムに関し、スーパフレーム内の複数のシンボル期間においてビーコン・シンボルを送信することを容易にするシステムおよび方法論が記述される。さらに、所与のシンボル期間に利用可能な異なるサブキャリアもまた、ビーコン・シンボルを送信する際に利用されうる。この点に関し、ビーコン・シンボルを送信するための帯域幅の利用可能度が、利用可能なシンボル期間の追加とともに増加する。これは、例えば範囲内のモバイル・デバイスによって受信されたビーコン・シンボルを送信するセクタ間の衝突を緩和しうる。さらに、モバイル・デバイスは、この機能を容易にするために、様々なシンボル期間中に送られたビーコン・シンボルを解釈しうる。
2010508730.tif 000002
【特許請求の範囲】
【請求項１】
異なるシンボル期間においてビーコン・シンボルを送信する方法であって、
異なるソースからの１または複数の異なるビーコン・シンボルとの衝突を低減または回避するために、１または複数のビーコン・シンボルを送信する１または複数のシンボル期間を決定することを備え、
前記１または複数のシンボル期間は、ビーコン・シンボルを送信するために利用可能なシンボル期間のサブセットから決定され、
前記方法はさらに、前記決定された１または複数のシンボル期間で、前記１または複数のビーコン・シンボルを送ることを備える方法。
【請求項２】
前記１または複数のビーコン・シンボルと、前記１または複数の異なるビーコン・シンボルとは、１または複数の基地局、または、１または複数のそのセクタによって送られる請求項１に記載の方法。
【請求項３】
前記１または複数のビーコン・シンボルを送るための、前記１または複数のシンボル期間における１または複数のサブキャリアを決定することと、
前記１または複数のサブキャリアで、前記１または複数のビーコン・シンボルを送ることと
をさらに備える請求項１に記載の方法。
【請求項４】
前記１または複数のサブキャリアのうちの少なくとも１つは、最大距離分離（maximum distance separable）（ＭＤＳ）符号を用いて、前記１または複数のシンボル期間について決定される請求項３に記載の方法。
【請求項５】
前記１または複数のビーコン・シンボルは、前記１または複数のビーコン・シンボルのソースの識別子に少なくとも部分的に基づいて選択される請求項３に記載の方法。
【請求項６】
セクタ識別子をビーコン・コードに符号化することをさらに備え、
前記１または複数のビーコン・シンボルは、前記ビーコン・コードの少なくとも１つのシンボルである請求項１に記載の方法。
【請求項７】
前記１または複数のシンボル期間は、予め定めたネットワーク計画設定に少なくとも部分的に基づいて決定される請求項１に記載の方法。
【請求項８】
前記１または複数のシンボル期間は、他のセクタに関連して受信されたビーコン・シンボル・タイミング情報に少なくとも部分的に基づいて決定される請求項１に記載の方法。
【請求項９】
前記ビーコン・シンボル・タイミング情報は、モバイル・デバイスによって受信される請求項８に記載の方法。
【請求項１０】
前記１または複数のシンボル期間は、前記受信されたビーコン・シンボル・タイミング情報に基づいて準ランダムに決定される請求項８に記載の方法。
【請求項１１】
ビーコン・シンボルを送信するスーパフレーム内の少なくとも１つのシンボル期間および／またはサブキャリアを選択するように構成された少なくとも１つのプロセッサと、
前記少なくとも１つのプロセッサに接続されたメモリと
を備える無線通信装置。
【請求項１２】
前記少なくとも１つのプロセッサはさらに、ビーコン・シンボルを送信するように構成された請求項１１に記載の無線通信装置。
【請求項１３】
前記サブキャリアまたは前記シンボル期間の少なくとも１つは、ビーコン・シンボルを送る他の無線通信装置に関する情報に基づいて選択される請求項１１に記載の無線通信装置。
【請求項１４】
前記情報は、前記１または複数のモバイル・デバイスとの通信で受信される請求項１３に記載の無線通信装置。
【請求項１５】
前記シンボル期間および／またはサブキャリアは、前記無線通信装置に関連する識別子に少なくとも部分的に基づいて選択される請求項１１に記載の無線通信装置。
【請求項１６】
複数のシンボル期間および／またはサブキャリアが、単一のスーパフレーム内で選択される請求項１１に記載の無線通信装置。
【請求項１７】
スーパフレームの異なるシンボル期間中に、１または複数のビーコン・シンボルを送信する無線通信装置であって、
スーパフレームを１または複数のシンボル期間に分割する手段と、
前記シンボル期間内で同期通信する手段と、
別のセクタの第２のビーコン・シンボルとの衝突を回避するために、ビーコン・シンボルを送信するシンボル期間のうちの１つを選択する手段と、
前記選択されたシンボル期間で、前記ビーコン・シンボルを送信する手段と
を備える無線通信装置。
【請求項１８】
前記第２のビーコン・シンボルとの衝突を回避するために、前記ビーコン・シンボルを送信するスーパフレームのサブキャリアを選択する手段をさらに備える請求項１７に記載の無線通信装置。
【請求項１９】
前記サブキャリアは、最大距離分離（maximum distance separable）（ＭＤＳ）符号を用いて選択される請求項１８に記載の無線通信装置。
【請求項２０】
前記第２のビーコン・シンボルに関する情報を受信する手段をさらに備える請求項１７に記載の無線通信装置。
【請求項２１】
前記１または複数のシンボル期間または前記ビーコン・シンボルの少なくとも１つは、前記ビーコン・シンボルのソースの識別子に少なくとも部分的に基づいて選択される請求項１７に記載の無線通信装置。
【請求項２２】
前記１または複数のシンボル期間は、予め定めたネットワーク計画設定に少なくとも部分的に基づいて選択される請求項１７に記載の無線通信装置。
【請求項２３】
前記１または複数のシンボル期間は、他のセクタに関して受信されたビーコン・シンボル・タイミング情報に少なくとも部分的に基づいて選択される請求項１７に記載の無線通信装置。
【請求項２４】
前記ビーコン・シンボル・タイミング情報は、モバイル・デバイスによって受信される請求項２３に記載の無線通信装置。
【請求項２５】
前記１または複数のシンボル期間は、前記受信されたビーコン・シンボル・タイミング情報に基づいて準ランダムに決定される請求項２３に記載の無線通信装置。
【請求項２６】
異なるソースからの第２のビーコン・シンボルとの衝突を低減または回避するために、ビーコン・シンボルを送信するシンボル期間を、少なくとも１つのコンピュータに決定させるコードを備えるコンピュータ読取媒体を備え、
前記シンボル期間は、ビーコン・シンボルを送信するために利用可能なシンボル期間のサブセットから決定され、
前記コンピュータ読取可能媒体はさらに、前記少なくとも１つのコンピュータに対して、前記決定されたシンボル期間で、前記ビーコン・シンボルを送らせるコードを備えるコンピュータ・プログラム製品。
【請求項２７】
前記コンピュータ読取可能媒体はさらに、
前記ビーコン・シンボルを送るための、前記シンボル期間におけるサブキャリアを、前記少なくとも１つのコンピュータに対して決定させるコードと、
前記少なくとも１つのコンピュータに対して、前記サブキャリアで、前記ビーコン・シンボルを送らせるコードと
を備える請求項２６に記載のコンピュータ・プログラム製品。
【請求項２８】
スーパフレームを１または複数のシンボル期間に分割し、前記シンボル期間内で同期通信し、別のセクタの第２のビーコン・シンボルとの衝突を回避するために、ビーコン・シンボルを送信するシンボル期間の１つを選択し、前記選択されたシンボル期間で、前記ビーコン・シンボルを送信するように構成されたプロセッサと、
前記プロセッサに接続されたメモリと
を備える無線通信装置。
【請求項２９】
複数のシンボル期間においてビーコン・シンボルを受信する方法であって、
複数の送信機からビーコン・シンボルを受信することを備え、
前記ビーコン・シンボルは、他の送信機との衝突を低減するために選択されたシンボル期間で送られ、
前記方法はさらに、前記受信されたビーコン・シンボルを復号し、前記ビーコン・シンボル内に備えられた情報を取得することを備える方法。
【請求項３０】
前記送信機は、無線通信ネットワーク内の１または複数の基地局の１または複数のセクタに関連する請求項２９に記載の方法。
【請求項３１】
他のセクタが、前記ビーコン・シンボルのためのシンボル期間を選択する際にビーコン・シンボル情報を利用することができるように、前記他のセクタに関するビーコン・シンボル情報を、前記１または複数のセクタへ送信することをさらに備える請求項３０に記載の方法。
【請求項３２】
前記取得された情報は、１または複数の送信機識別子に関連する請求項２９に記載の方法。
【請求項３３】
少なくとも１つの送信機はセクタであって、前記取得された情報はさらに、前記セクタの好適なキャリアのインデクスを備える請求項３２に記載の方法。
【請求項３４】
前記ビーコン・シンボルの周期性またはパターンを判定するために、タイマを用いて、同期タイミングを、前記ビーコン・シンボルと関連付けることをさらに備える請求項２９に記載の方法。
【請求項３５】
前記ビーコン・シンボルのシンボル期間は、異なるビーコン・シンボルのうちの少なくとも１つの別のシンボル期間に関して準ランダムである請求項２９に記載の方法。
【請求項３６】
同期無線通信ネットワークにおいて、異なるシンボル期間中に、１または複数のセクタから送られた複数のビーコン・シンボルを受信し、復号するように構成された少なくとも１つのプロセッサと、
前記少なくとも１つのプロセッサに接続されたメモリと
を備える無線通信装置。
【請求項３７】
前記少なくとも１つのプロセッサはさらに、前記ビーコン・シンボルに関する追加情報を取得するために、ビーコン・コード情報を用いて、前記ビーコン・シンボルを復号するように構成された請求項３６に記載の無線通信装置。
【請求項３８】
前記少なくとも１つのプロセッサはさらに、前記１または複数のセクタの少なくとも１つの識別子において、複数のビーコン・シンボル・フィールドを復号するように構成された請求項３６に記載の無線通信装置。
【請求項３９】
前記少なくとも１つのプロセッサはさらに、他のセクタが、前記ビーコン・シンボルのためのシンボル期間を選択する際にビーコン・シンボル情報を利用することができるように、前記他のセクタに関するビーコン・シンボル情報を、前記１または複数のセクタへ送信するように構成された請求項３６に記載の無線通信装置。
【請求項４０】
前記少なくとも１つのプロセッサはさらに、前記ビーコン・シンボルの周期性またはパターンを判定するために、タイマを用いて、同期タイミングを、前記複数のビーコン・シンボルと関連付けるように構成された請求項３６に記載の無線通信装置。
【請求項４１】
前記ビーコン・シンボルのシンボル期間は、異なるビーコン・シンボルのうちの少なくとも１つの別のシンボル期間に関して準ランダムである請求項３６に記載の無線通信装置。
【請求項４２】
複数のシンボル期間においてビーコン・シンボルを受信する無線通信装置であって、
無線通信ネットワークにおいて同期通信する手段と、
スーパフレーム内の第１のシンボル期間において、第１のビーコン・シンボルを受信する手段と、
前記スーパフレームの第２のシンボル期間において、第２のビーコン・シンボルを受信する手段と、
前記ビーコン・シンボルを送信している１または複数のセクタを特定するために、前記第１および第２のビーコン・シンボルを復号する手段と
を備える無線通信装置。
【請求項４３】
前記第１および第２のビーコン・シンボルを復号することは、非同期に実行される請求項４２に記載の無線通信装置。
【請求項４４】
前記１または複数のセクタが、ビーコン・シンボルのためのシンボル期間を選択する際にビーコン・シンボル情報を利用することができるように、他のセクタに関するビーコン・シンボル情報を、前記１または複数のセクタへ送信する手段をさらに備える請求項４２に記載の無線通信装置。
【請求項４５】
前記１または複数のセクタの１または複数の好適なキャリアのインデクスを特定するために、前記第１および第２のビーコン・シンボルを復号する手段をさらに備える請求項４２に記載の無線通信装置。
【請求項４６】
前記第１および第２のビーコン・シンボルの周期性またはパターンを決定するために、タイマを用いて、同期タイミングを、前記第１および第２のビーコン・シンボルに関連付ける手段をさらに備える請求項４２に記載の無線通信装置。
【請求項４７】
前記第１のシンボル期間は、前記第２のシンボル期間に関して準ランダムである請求項４２に記載の無線通信装置。
【請求項４８】
少なくとも１つのコンピュータに対して、複数の送信機からのビーコン・シンボルを受信させるコードを備えたコンピュータ読取可能媒体を備え、
前記ビーコン・シンボルは、他の送信機との衝突を低減するために選択されたシンボル期間内で送られ、
前記コンピュータ読取可能媒体はさらに、前記ビーコン・シンボル内に備えられる情報を取得するために、受信されたビーコン・シンボルを前記少なくとも１つのコンピュータに対して復号させるコードを備えるコンピュータ・プログラム製品。
【請求項４９】
少なくとも１つの送信機はセクタであり、前記取得された情報はさらに、前記セクタの好適なキャリアのインデクスを備える請求項４８に記載のコンピュータ・プログラム製品。
【請求項５０】
無線通信ネットワークにおいて同期通信し、スーパフレーム内の第１のシンボル期間において、第１のビーコン・シンボルを受信し、前記スーパフレームの第２のシンボル期間において、第２のビーコン・シンボルを受信し、前記ビーコン・シンボルを送信している１または複数のセクタを特定するために、前記第１および第２のビーコン・シンボルを復号するように構成されたプロセッサと、
前記プロセッサに接続されたメモリと
を備える無線通信装置。
【発明の詳細な説明】
【関連出願に対する相互参照】
【０００１】
本出願は、２００６年１０月２６日に出願され、"ORTHOGONALIZATION OF BEACONS IN A WIRELESS COMMUNICATION SYSTEM"と題された米国仮特許出願６０／８６３，１２２号の利益を要求する。前記出願の全体は、参照によって本明細書に組み込まれる。
【技術分野】
【０００２】
以下の記載は、一般に、無線通信に関し、特に、無線通信システムにおいてビーコン・シンボルを直交させることに関する。
【背景技術】
【０００３】
無線通信システムは、例えば音声、データ等のような様々なタイプの通信コンテンツを提供するために広く展開している。一般的な無線通信システムは、利用可能なシステム・リソース（例えば帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含みうる。
【０００４】
一般に、無線多元接続通信システムは、複数のモバイル・デバイスのための通信を同時にサポートすることができる。モバイル・デバイスはそれぞれ、順方向リンクおよび逆方向リンクでの送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、多数入力単一出力（ＭＩＳＯ）システム、多数入力多数出力（ＭＩＭＯ）システムなどによって確立されうる。
【０００５】
ＭＩＭＯシステムは一般に、データ伝送のために、複数（ＮＴ個）の送信アンテナと複数（ＮＲ個）の受信アンテナとを用いる。アンテナは、１例において、基地局（例えばアクセス・ポイント）およびモバイル・デバイス（例えばアクセス端末）の両方と関連しうる。ここで、基地局はモバイル・デバイスに通信チャンネルを提供しうる。基地局は、基地局および／または送信キャリアあるいはそのセクタの識別を試みる場合、モバイル・デバイスによる解釈のために、ビーコン信号を送信することができる。ビーコン・シンボルは、スーパフレーム内の所与の時間において送信される。これによって、範囲内のセクタ数が、利用可能なサブキャリア数よりも増えると、ビーコン衝突に屈してしまう。
【発明の概要】
【０００６】
以下は、そのような実施形態の基本的な理解を提供するために、１または複数の実施形態の単純な概要を表す。この概要は、考慮された全ての実施形態の広範な概観ではなく、全ての実施形態の重要な要素または決定的な要素を特定することも、任意または全ての実施形態の範囲を線引きすることも意図されていない。その唯一の目的は、後に示されるより詳細な記述に対する前置きとして、簡略化された形態で１または複数の実施形態のうちの幾つかの概念を示すことである。
【０００７】
１または複数の実施形態および対応する開示にしたがって、基地局あるいはそのセクタによって送られたビーコン・シンボルのタイム・シフトを容易にすることに関連する様々な局面が記述される。特に、ビーコン・シンボルは、他のセクタからのビーコン・シンボルとの衝突を緩和するために、スーパフレームの異なるシンボル期間で、および異なるサブキャリアで送られる。このように、ビーコン・シンボル送信のために利用可能な独立したチャネル数は、追加された利用可能なシンボル期間の要因として増大する。
【０００８】
関連する局面によれば、異なるシンボル期間においてビーコン・シンボルを送信する方法が、本明細書で記述される。この方法は、別のソースからの第２のビーコン・シンボルとの衝突を低減または回避するために、ビーコン・シンボルを送るシンボル期間を決定することを備える。このシンボル期間は、ビーコン・シンボルを送信するために利用可能なシンボル期間のサブセットから決定される。この方法はまた、決定されたシンボル期間でビーコン・シンボルを送ることを含みうる。
【０００９】
別の局面は、無線通信装置に関連する。無線通信装置は、ビーコン・シンボルを送信する、スーパフレームにおけるサブキャリア、および／または、少なくとも１つのシンボル期間を選択するように構成された少なくとも１つのプロセッサを含みうる。無線通信装置はさらに、この少なくとも１つのプロセッサに接続されたメモリを含みうる。
【００１０】
さらに別の局面は、スーパフレームの異なるシンボル期間中に、１または複数のビーコン・シンボルを送信する無線通信装置に関する。この無線通信装置は、スーパフレームを１または複数のシンボル期間に分割する手段と、このシンボル期間内で同期通信する手段とを含みうる。無線通信装置はまた、別のセクタの第２のビーコン信号との衝突を回避するために、ビーコン・シンボルを送信するシンボル期間の１つを選択する手段のみならず、選択されたシンボル期間でビーコン・シンボルを送信する手段を含みうる。
【００１１】
また別の局面は、コンピュータ・プログラム製品に関する。このコンピュータ・プログラム製品は、異なるソースからの第２のビーコン・シンボルとの衝突を低減または回避するために、少なくとも１つのコンピュータに対して、ビーコン・シンボルを送るシンボル期間を決定させるコードを含むコンピュータ読取可能媒体を有しうる。このシンボル期間は、ビーコン・シンボルを送信するのに利用可能なシンボル期間のサブセットから決定される。このコードはまた、少なくとも１つのコンピュータに対して、決定されたシンボル期間で、ビーコン・シンボルを送らせることもできうる。
【００１２】
別の局面にしたがうと、無線通信システムにおける装置は、スーパフレームを１または複数のシンボル期間に分割し、これらシンボル期間内で同期通信し、別のセクタの第２のビーコン・シンボルとの衝突を回避するために、ビーコン・シンボルを送信するシンボル期間の１つを選択し、選択されたシンボル期間で、ビーコン・シンボルを送信するように構成されたプロセッサを含みうる。さらに、この装置は、プロセッサに接続されたメモリを含みうる。
【００１３】
さらなる局面によれば、複数のシンボル期間においてビーコン・シンボルを受信する方法がここで説明される。この方法は、複数の送信機からビーコン・シンボルを受信することを備えうる。このビーコン・シンボルは、他の送信機との衝突を低減するために、選択されたシンボル期間で送信される。この方法はさらに、受信されたビーコン・シンボルに備えられた情報を取得するために、このビーコン・シンボルを復号することを備えうる。
【００１４】
その他の局面は、無線通信装置に関する。この無線通信装置は、同期無線通信ネットワークにおいて、異なるシンボル期間内に、１または複数のセクタから送られた複数のビーコン・シンボルを受信し、復号するように構成された少なくとも１つのプロセッサを含みうる。この無線通信装置はさらに、少なくとも１つのプロセッサに接続されたメモリを含みうる。
【００１５】
また別の局面は、複数のシンボル期間において、ビーコン・シンボルを受信する無線通信装置に関する。この装置は、無線通信ネットワークにおいて同期通信する手段を備えうる。この装置はまた、スーパフレームの第１のシンボル期間で第１のビーコン・シンボルを受信する手段と、スーパフレームの第２のシンボル期間で、第２のビーコン・シンボルを受信する手段とを含みうる。この装置はさらに、ビーコン・シンボルを送信する１または複数のセクタを特定するために、第１のビーコン・シンボルおよび第２のビーコン・シンボルを復号する手段を備えうる。
【００１６】
さらに、別の局面はコンピュータ・プログラム製品に関する。このコンピュータ・プログラム製品は、少なくとも１つのコンピュータに対して、複数の送信機からのビーコン・シンボルを受信させるためのコードを含むコンピュータ読取可能媒体を有しうる。このビーコン・シンボルは、他の送信機との衝突を低減するために選択されたシンボル期間で送信される。このコードはまた、ビーコン・シンボルに備えられた情報を取得するために、受信したビーコン・シンボルを、少なくとも１つのコンピュータに対して復号させうる。
【００１７】
他の局面にしたがって、装置は、無線通信システム内に備えられ、無線通信ネットワークにおいて同期通信するように構成されたプロセッサを含む。このプロセッサはまた、スーパフレームの第１のシンボル期間で第１のビーコン・シンボルを受信し、スーパフレームの第２のシンボル期間で第２のビーコン・シンボルを受信するように構成されうる。さらに、このプロセッサはまた、ビーコン・シンボルを送信している１または複数のセクタを特定するために、第１のビーコン・シンボルおよび第２のビーコン・シンボルを復号するように構成されうる。さらに、この装置は、プロセッサに接続されたメモリを備えうる。
【００１８】
前述した目的および関連する目的を達成するために、１または複数の実施形態は、後に十分に説明され特に特許請求の範囲において指摘されている特徴を備える。以下の記載および添付する図面は、１または複数の実施形態のある例示的な局面を詳細に説明する。しかしながら、これらの局面は、様々な実施形態の原理が適用される様々な方法のうちのほんの幾つかしか示しておらず、説明した実施形態は、そのような局面およびそれら均等物の全てを含むことが意図されている。
【図面の簡単な説明】
【００１９】
【図１】図１は、本明細書に述べられた様々な局面にしたがった無線通信システムの実例である。
【図２】図２は、無線通信環境において適用される通信装置の例を示す。
【図３】図３は、異なるシンボル期間でビーコン・シンボルを送信することを達成する無線通信システムの一例を示す。
【図４】図４は、無線通信システムで利用されるスーパフレームおよびシンボル期間の例を示す。
【図５】図５は、無線通信ネットワークの例を示す。
【図６】図６は、異なるシンボル時期においてビーコン・シンボルを送信することを容易にする方法論の一例である。
【図７】図７は、異なるシンボル時期において送信されたビーコン・シンボルを受信することを容易にする方法論の一例である。
【図８】図８は、スーパフレーム内の異なる時間においてブロードキャストされたビーコン・シンボルを受信することを容易にするモバイル・デバイスの一例である。
【図９】図９は、様々なシンボル期間においてビーコン・シンボルをブロードキャストすることを容易にするシステムの一例である。
【図１０】図１０は、ここで記述した様々なシステムおよび方法と連携して適用される無線ネットワーク環境の一例である。
【図１１】図１１は、スーパフレームの複数のシンボル期間を用いてビーコン・シンボルを送信するシステムの一例である。
【図１２】図１２は、スーパフレームの異なる時間期間において送られた複数のビーコン・シンボルを受信するシステムの一例である。
【発明を実施するための形態】
【００２０】
様々な実施形態が、全体を通じて同一要素を参照するための同一符号が使用される図面を参照して説明される。以下の記述では、説明の目的のために、１または複数の実施形態の完全な理解を与えるために、多くの具体的な詳細が述べられる。しかしながら、そのような実施形態は、これら具体的な詳細無しで実現されうることが明白である。他の例では、周知の構成およびデバイスが、１または複数の実施形態の記述を容易にするために、ブロック図形式で示される。
【００２１】
本願で使用されるように、用語「構成要素」、「モジュール」、「システム」等は、ハードウェア、ファームウェア、ハードウェアとソフトウェアとの組み合わせ、ソフトウェア、実行中のソフトウェアの何れかであるコンピュータ関連エンティティを称することが意図されている。例えば、構成要素は、これらに限定される訳ではないが、プロセッサ上で実行するプロセス、プロセッサ、オブジェクト、実行可能形式、実行スレッド、プログラム、および／または、コンピュータでありうる。一例として、計算デバイス上で実行しているアプリケーションと、計算デバイスとの両方が、構成要素になりうる。１または複数の構成要素は、プロセスおよび／または実行スレッド内に存在し、１つの構成要素は、１つのコンピュータ上に局在化されるか、および／または、２または複数のコンピュータに分散されうる。さらに、これら構成要素は、そこに格納された様々なデータ構造を有する様々なコンピュータ読取可能媒体から実行されうる。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカルおよび／またはリモートの処理によって通信することができる。
【００２２】
さらに本明細書では、様々な実施形態がモバイル・デバイスに関して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、計算デバイス、あるいは、無線モデムに接続されたその他の処理デバイスでありうる。さらに、本明細書では、様々な実施形態が、基地局に関して記述される。基地局は、モバイル・デバイスと通信するために利用され、アクセス・ポイント、ノードＢ、またはその他幾つかの用語で称されうる。
【００２３】
さらに、本明細書に記載の様々な局面または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載された様々な記憶媒体は、１または複数のデバイス、および／または、情報を格納するための他の機械読取可能媒体を表しうる。用語「機械読取可能媒体」は、限定される訳ではないが、無線チャネル、および、命令（群）および／またはデータを格納、包含、および／または搬送することができるその他様々な媒体を含みうる。
【００２４】
図１に示すように、無線通信システム１００は、本明細書に示された様々な実施形態に従って例示される。システム１００は、複数のアンテナ・グループを含む基地局１０２を備える。例えば、１つのアンテナ・グループはアンテナ１０４およびアンテナ１０６を含みうる。別のグループは、アンテナ１０８およびアンテナ１１０を備えうる。そして更に別のグループは、アンテナ１１２およびアンテナ１１４を含みうる。２つのアンテナが、各アンテナ・グループのために例示されている。しかしながら、各グループには、それよりも多いまたは少ないアンテナも適用されうる。基地局１０２は、さらに送信機チェーンおよび受信機チェーンを含みうる。これらチェーンのおのおのは、当業者によって認識されるように、信号送信および信号受信に関する複数の構成要素（例えば、プロセッサ、変調器、マルチプレクサ、復調器、デマルチプレクサ、アンテナ等）を備えうる。
【００２５】
基地局１０２は、例えばモバイル・デバイス１１６およびモバイル・デバイス１２２のような１または複数のモバイル・デバイスと通信しうるが、基地局１０２は、モバイル・デバイス１１６およびモバイル・デバイス１２２と類似の、実質的に任意の数のモバイル・デバイスと通信しうることが認識されるべきである。モバイル・デバイス１１６およびモバイル・デバイス１２２は、例えば、セルラ電話、スマート・フォン、ラップトップ、ハンドヘルド通信デバイス、ハンドヘルド計算デバイス、衛星ラジオ、全地球測位システム、ＰＤＡ、および／または、無線通信システム１００を介して通信するためのその他任意の適切なデバイスでありうる。図示するように、モバイル・デバイス１１６は、アンテナ１１２およびアンテナ１１４と通信し、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２は、アンテナ１０４およびアンテナ１０６と通信し、アンテナ１０４およびアンテナ１０６は、順方向リンク１２４によってモバイル・デバイス１２２へ情報を送信し、逆方向リンク１２６によってモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を利用し、順方向リンク１２４は、逆方向リンク１２６によって使用されるものとは異なる周波数帯域を利用しうる。さらに、時分割デュプレクス（ＴＤＤ）システムでは、順方向リンク１１８と逆方向リンク１２０とは、共通の周波数帯域を利用し、順方向リンク１２４と逆方向リンク１２６とは、共通の周波数帯域を利用しうる。
【００２６】
通信するように指定された領域および／またはアンテナのグループのおのおのは、基地局１０２のセクタと称されうる。例えば、アンテナ・グループは、基地局１０２によってカバーされる領域のセクタ内のモバイル・デバイスと通信するように設計されうる。順方向リンク１１８および順方向リンク１２４による通信では、基地局１０２の送信アンテナは、モバイル・デバイス１１６およびモバイル・デバイス１２２の順方向リンク１１８および順方向リンク１２４の信号対雑音比を改善するためにビームフォーミングを利用しうる。さらに、基地局１０２が、関連する有効範囲にわたってランダムに散在したモバイル・デバイス１１６およびモバイル・デバイス１２２へ送信するためにビームフォーミングを利用している間、近隣セル内のモバイル・デバイスは、その全てのモバイル・デバイスへ単一アンテナによって送信している基地局と比べてさほど干渉を受けない。
【００２７】
一例において、基地局１０２は、各アンテナ１０４、１０６、１０８、１１０、１１２、１１４、および／または、アンテナのグループからビーコン・シンボルを送ることができうる。ビーコン・シンボルは、例えば識別情報、および／または、その他の判定基準、あるいは、アンテナおよび／または基地局１０２に関連する一般的な情報のような、アンテナおよび／または対応する基地局１０２に関する情報を備えている。一例によれば、ビーコン・シンボルは、（例えば、距離またはその他の干渉によって）非常に低い信号対雑音比を有しうる１または複数のモバイル・デバイス１１６およびモバイル・デバイス１２２へ、小さなメッセージをシグナルするための実質的な電力で送信される信号の一部でありうる。モバイル・デバイス１１６およびモバイル・デバイス１２２は、アンテナおよび／または基地局１０２に関する情報を識別するために、１または複数のビーコン・シンボルを受信しうる。一例において、ビーコン・シンボルは、モバイル・デバイス１１６およびモバイル・デバイス１２２が、基地局１０２またはアンテナに関して解釈することができる最初の信号のうちの１つになりえる。この目的のために、ビーコン・シンボルは、モバイル・デバイス１１６およびモバイル・デバイス１２２によって容易に識別できるように送られうる。一例によれば、基地局１０２は、利用可能な実質的な全電力を単一のサブキャリア・チャネル（あるいは、少数のチャネル）で送信することによって、所与のアンテナ１０４、１０６、１０８、１１０、１１２および／または１１４からビーコン・シンボルを送りうる。モバイル・デバイス１１６および／またはモバイル・デバイス１２２は、この信号を受信し、この信号について高速フーリエ変換（ＦＦＴ）あるいはその他の復号アルゴリズムを実行し、１つのチャネルが他のチャネルと比べて非常に高いエネルギーを持っていると判定する。モバイル・デバイス１１６および／またはモバイル・デバイス１２２は、これが、所与のアンテナおよび／または基地局１０２に関連するビーコン・シンボルであると結論付け、それにしたがってこのシンボルを解釈しうる。
【００２８】
（図示するような）複数のアンテナと（図示しない）複数の基地局との操作性を容易にするために、基地局１０２は、ビーコン・シンボルをタイム・シフトして、衝突および混乱を回避しうる。例えば、１つのアンテナ１０４は、アンテナ１１４（あるいは、例えば、他の基地局の他のアンテナ）とは異なるタイム・スロットでビーコン・シンボルを送信しうる。さらに、基地局１０２は、タイム・スロットおよび／またはサブキャリアのパターン毎に、および／または、タイム・スロットおよび／またはサブキャリアのパターンにしたがって、帯域幅のうちの異なるサブキャリアでビーコン・シンボルを送信しうる。この目的のために、ビーコン・シンボルはまた、複数のシンボルからなるパターンでありうる。これらのおのおのも同様に、関連する情報を得るために解釈されねばならない。さらに、一例において、このパターンまたはシーケンスは、１または複数のスーパフレーム（例えば、予め定めた継続時間からなるフレーム）内に含まれうる。
【００２９】
基地局１０２の１または複数のアンテナに関するビーコンの直交性が、基地局１０２において実現される一方、本明細書で記載される主題はさらに、異なる基地局および／またはそのセクタ間でビーコンを直交させることを容易にする。前述した局面は、領域において利用可能なセクタの数が、利用可能な帯域幅のために存在するサブキャリアの数を超える場合であっても、ビーコン・シンボルの多くの異なる組み合わせからなる直交化を容易にしうる。これに関して、例えばセクタは、衝突を最小にしながら、関連するビーコン・シンボルを送信しうる。さらに、ビーコン・シンボルを直交させることによって、基地局１０２は、関連する各アンテナのビーコン・シンボルに、全電力を実質的に割り当てうる。一例において、シンボル期間内でビーコン・シンボルを送信している場合、その他のデータも送られうる（例えば、その他のＯＦＤＭシンボルが利用されうる）ことが認識されるべきである。
【００３０】
一例によれば、システム１００は、複数入力複数出力（ＭＩＭＯ）通信システムでありうる。さらに、システム１００は、通信チャネル（例えば、順方向リンク、逆方向リンク）を分割するために、例えばＦＤＤ、ＴＤＤ等のような任意のタイプのデュプレクス技術を利用しうる。一例において、システム１００は、ＯＦＤＭＡシステムであることができ、シンボルが、時間期間に与えられた周波数で送信されうる。さらに、システム１００は一例において同期的であり、これによって、基地局１０２、モバイル・デバイス１１６、１２２、および／または、その他のデバイスが、これらデバイス間の通信を同期させるために、時間、クロック、またはその他の局面を有しうる。この挙動は、一例において、上述したようなビーコン・シンボルのタイム・シフトを容易にしうる。なぜなら、基地局１０２は、所与の時間においてビーコン・シンボルを送信し、モバイル・デバイス１１６、１１２は、次のビーコン・シンボルまたはその他の送信を処理するために、送られた時間を解釈し、その情報を利用しうるからである。一例において、基地局１０２は、決定されたシンボル期間でビーコン・シンボルを送信し（、それは、一例において、ビーコン・シンボルで通信される）、モバイル・デバイス１１６、１２２は、この情報を、自身のクロック／タイマとともに利用し、信号がビーコン・シンボルであるとき、および／または、それをいつ（例えば、どのスーパフレームで）期待するかを識別する。一例において、ビーコンは、１または複数のスーパフレームで、複数個の異なるビーコン・シンボル（例えばビーコン・コード）にしたがって送信されうる。これらは、スーパフレーム内あるいは複数のスーパフレームについてタイム・シフトされうる。そして、コードは、異なる時点（例えば、異なるスーパフレーム内等）において異なりうる。ビーコン・シンボル、ビーコン・シンボルのパターン、および／またはそれらのタイミングから得られる情報を用いて、モバイル・デバイス１１６、１２２は、基地局１０２および／またはそのブロードキャスト・セクタに関する他の情報を判定しうる。例えば、モバイル・デバイス１１６、１２２は、基地局１０２またはそのセクタのビーコン・シンボルを認識し、基地局１０２またはセクタのスーパフレーム・プリアンブルの位置を決定できるようになる。スーパフレームのサイズを含み、情報、信号強度、信号品質、周波数、帯域幅能力、およびビーコンに関連する実質的に全ての情報、および／またはセクタを特定する他の情報は、例えば、ビーコン・シンボルによって部分的に決定されうる。
【００３１】
図２には、無線通信環境内で適用される通信装置が例示されている。この通信装置２００は、基地局またはその一部、モバイル・デバイスまたはその一部、あるいは１または複数のビーコン・シンボルを送信する実質的に任意の通信装置でありうる。この通信装置２００は、同期環境における動作を容易にするタイマ２０２と、（例えばビーコンＯＦＤＭシンボルのような）ビーコン・シンボルを送信し、帯域幅（および／またはタイム・スロット）におけるサブキャリアを選択するビーコン・シンボル・アサイナ２０４と、ビーコン・シンボルをブロードキャストする送信機２０６とを含みうる。一例において、通信装置２００は、ビーコン・シンボルを形成し、それを、例えばビーコン・シンボル・アサイナ２０４を用いて、スーパフレーム内のあるタイム・スロットへ割り当てる。ビーコン・シンボルは、送信機２０６を用い、タイマ２０２を導入することによってブロードキャストされ、割り当てられたタイム・スロットがブロードキャストに使用されることを保証する。通信装置が基地局またはその他のアクセス・ポイントである場合、例えば、１または複数の送信機２０６を有しうると認識される。
【００３２】
一例において、タイマ２０２は、無線通信システムに関連するシステム時間を保ち、そこにおける同期通信を容易にする。このシステム内で通信するデバイスは、時間ベースの通信の精度を保証するためにタイマ２０２を用いる。これによって、通信装置２００（またはこれら複数）は、例えば、所与のスーパフレームの１または複数のシンボル期間でビーコン・シンボルを送信できるようになる。ビーコン・シンボル・アサイナ２０４は、タイマ２０２を用いて、ＯＦＤＭシンボル、または選択されたタイム・スロットでビーコン・シンボルを送信する。この点において、ビーコン・シンボルを受信する他の通信装置は、スーパフレーム内の時間を識別し、その時間、あるいは、ビーコン・シンボルにおいて示される他の時間中にビーコン・シンボルを受信することを期待し、それにしたがって処理する。この目的のために、ビーコン・シンボル・アサイナ２０４は、１または複数のビーコン・シンボルの送信のために、特定のサブキャリアを選択しうる。例えば、サブキャリアは、ビーコン・シンボルが関連するアンテナについて割り当てられうる。一例によれば、サブキャリアの選択は、ネットワーク計画に基づきうる。これによって、（送信された信号が単一のデバイスによって受信される）互いに近くに配置された通信装置は、ビーコン・シンボルのために異なるサブキャリアを選択し、受信デバイスは、装置を区別できるようになる。しかしながら、単一の通信装置によって、異なるタイム・スロットまたはスーパフレームでビーコン・シンボルを送信するために、異なるサブキャリアが使用されるか、および／または、サブキャリアのパターンもまた使用されうることが認識されるべきである。
【００３３】
別の例によれば、通信装置２００によって送信されるビーコン・シンボルは、通信装置２００または（上述したモバイル・デバイス、アクセス・ポイント等を含む）その他の通信装置によって送られる他の信号との衝突を回避するためにタイム・シフトもされうる。これは、例えば、所与の領域についてオーバラップするセクタの数が、セクタによる通信に使用される帯域幅において利用可能なサブキャリアよりも多い場合において有用であるのみならず、通信システムに柔軟性を提供するので、本質的に有用でありうる。一例によれば、近隣の通信装置（あるいは、オーバラップしている有効範囲領域を持つ装置）は、ビーコン・シンボルを送信するために、異なるタイム・スロットおよび／または異なるサブキャリアが割り当てられうる。この目的のために、各通信装置２００のビーコン・シンボル・アサイナ２０４は、正確なタイム・スロットおよび／またはサブキャリア（および／またはトーン）が、時間を決定するタイマ２０２を導入することによって選択される。送信機２０６は、適切な時間に、ビーコン・シンボルを送信しうる。
【００３４】
説明するように、ビーコン・シンボル・アサイナ２０４は、ビーコン・シンボル送信における衝突および混乱を緩和するために、別の通信装置に、別のタイム・スロットおよび／またはサブキャリアを割り当てうる。タイム・スロットおよび／またはサブキャリアは、一例では、近隣セクタが、衝突することなく、異なるタイム・スロットおよび／またはサブキャリアにおいてビーコンを送信できるように、ネットワーク計画中に割り当てられうる。別の例において、タイム・スロットおよび／またはサブキャリアは、セクタへのキャリアの割り当て（例えば、周波数再使用）と同様に割り当てられうる。さらなる例において、タイム・スロットおよび／またはサブキャリアは、（例えば、ビーコン・シンボル、あるいは、所与の通信装置のためのビーコン・シンボルについて、スーパフレームまたはサブキャリアで与えられた期間数のみが使用されるように）ランダムおよび／または準ランダムに割り当てられうる。この点に関し、例えば、スーパフレームにおける期間のサブセット、および／または、サブキャリアのサブセットは、所与の通信装置２００のためのランダム化のために選択されうる。そして、この通信装置２００の範囲内の他の通信装置は、衝突の機会をさらに緩和するためにランダム化するために、サブキャリアおよび／またはシンボル期間の異なるサブセットが割り当てられうる。さらに、タイム・スロットおよび／またはサブキャリアが、（例えば、識別子、モデル、アンテナ・グループ、範囲、周囲の通信装置、および／または、通信装置２００に関連するその他の判定基準に基づいて）通信装置２００が関連するネットワーク内のデバイスから割り当てられうる。さらに、タイム・スロットおよび／またはサブキャリアは、例えばネットワーク・デバイスのようなビーコン・シンボル・アサイナ２０４と通信するデバイスによってリアル・タイムで割り当てられうる。さらに、通信デバイス２００によって、タイム・スロットおよびサブキャリア情報が、別のデバイスまたは装置から引き出されるか、および／または、近隣セクタに関する推論技術を用いて判定される。１つの実施形態では、近隣セクタに関する情報が、例えば、セクタ内を移動するモバイル・デバイスによって、セクタに接続するあるいはセクタを利用するネットワークによって、セクタから直接的に受信されうる。この例において、通信装置２００は、そのビーコン・タイム・スロットおよび／またはサブキャリアをレポート（および／またはネゴシエート）しうる。タイム・スロットは、前述した局面のうちの１または複数を用いて割り当てられ、サブキャリアは、同じ局面または異なる局面を用いて割り当てられうることが認識されるべきである。
【００３５】
しかしながら、判定されると、ビーコン・シンボル・アサイナ２０４は、ビーコン・シンボル（単数または複数）が、適切に送信されることを保証するために、タイマ２０２および送信機２０６を導入しうる。既に述べたように、ビーコン・シンボル・アサイナ２０４は、タイム・スロットおよびサブキャリアを、実質的に利用可能な任意の組み合わせで割り当てうる。例えば、ビーコン・シンボル・アサイナ２０４は、通信装置２００のために、スーパフレーム内の期間または１つのタイム・スロットの１つのサブキャリアへ、１つのビーコン・シンボルを割り当てうる。使用されるサブキャリアおよび／または期間は、例えば、他のビーコン・シンボルについて、他の通信装置と異なりうる。他の例によれば、通信装置２００は、ビーコンを送る際に使用される複数のタイム・スロットおよび／またはサブキャリアが割り当てられうる（あるいは、例えば要求しうる）。この例において、ビーコンは、ビーコン・シンボル（例えば、ビーコン・コード）のパターンでありうる。ここでビーコン・シンボルは、ブロードキャストを読み取るデバイスによって全体が受信され、解釈される。この例では、スーパフレーム内の複数のタイム・スロットを用いることによって、デバイスがビーコン・コードを解釈するために必要な時間が、全体的に短縮されるか、あるいは、コード内の１つのシンボルよりも少なくとも多くが、単一のスーパフレームで送信されうることが認識される。
【００３６】
前述したように、通信装置２００は、複数の送信機２０６を有しうる。各送信機２０６は、異なるビーコンを送信しうる。この点において、通信装置２００は、ビーコン・シンボルをタイム・シフトし、異なる帯域幅のサブキャリアでビーコンを送信しうる。この点において、タイム・スロットのために別のサブキャリアは実質的に使用されないので、通信装置２００の実質的に全ての電力が、ビーコン・シンボルを送信するために使用されうる。少数のサブキャリアも使用されうるが、他の送信も、次の非ビーコン・タイム・スロットにプッシュされうることが認識されるべきである。あるいは、ビーコンは、同じ時間スロットまたは期間において、異なるサブキャリアを送信しうる。この場合、通信装置２００の電力は、ビーコンをブロードキャストする送信機２０６間で分配されうる。
【００３７】
また、図示していないが、通信装置２００は、前述した判定、および、前述した構成のうちの少なくとも１つに基づいて、ビーコン・シンボル・タイム・スロットおよび／またはサブキャリアを割り当てることに関する命令群を保持するメモリを含みうることが認識されるべきである。さらに、通信装置２００は、命令群（例えば、メモリに保持された命令群、異なるソースから取得された命令群等）を実行することに関連して利用されうるプロセッサを含みうる。
【００３８】
図３には、ビーコン・シンボルの直交送信を達成する無線通信システム３００が例示されている。このシステム３００は、モバイル・デバイス３０４（および／または、任意の数の異なるモバイル・デバイス）と通信する基地局３０２を含む。基地局３０２は、順方向リンク・チャネルによってモバイル・デバイス３０４に情報を送信することができ、さらに基地局３０２は、逆方向リンク・チャネルによってモバイル・デバイス３０４から情報を受信することができる。さらに、システム３００は、ＭＩＭＯシステムになりえる。くわえて、システム３００は、１つの例において、ＯＦＤＭＡ無線通信ネットワーク内で動作しうる。
【００３９】
基地局３０２は、同期通信を容易にするために、システム３００全体にわたって同期化されているタイマ３０６と、ビーコンおよび／またはそれに関連する複数のシンボルを、スーパフレームおよび／または帯域幅のサブキャリアへ割り当てるビーコン・シンボル・アサイナ３０８と、例えば逆高速フーリエ変換（ＩＦＦＴ）を用いることによって、通信を時間領域に変換するエンコーダ３１０とを含みうる。それに加えて、あるいは、その代わりに、エンコーダ３１０は、例えばセクタ識別子をビーコン・コード（例えば、ビーコン・シンボルのパターン）へ変換しうる。一例において、ビーコン・シンボル・アサイナ３０８は、ビーコン・シンボルの送信のためのサブキャリアを選択し、エンコーダ３１０は、ビーコン・シンボルを、セクタ識別子および／または時間領域へ変換しうる。ビーコン・シンボル・アサイナ３０８は、前述したように、ビーコン・シンボルを送信するためのタイム・スロットを選択し、基地局３００は、適切な時間内にビーコン・シンボルを送信するために、タイマ３０６を導入しうる。この点において、システム３００は、基地局３０２とモバイル・デバイス３０４との間の同期通信を可能にしうる。
【００４０】
モバイル・デバイス３０４は、例えば、無線通信ネットワークにおける同期通信を容易にするタイマ３１２と、他のネットワーク・エンティティから受信したメッセージを復号するデコーダ３１４とを備えうる。一例によれば、モバイル・デバイス３０４は、ビーコン・シンボル（またはその他のデータ送信）を受信し、デコーダ３１４を用いてそれを復号しうる。デコーダ３１４はまた、例えば、ビーコン・シンボル、または、パターン／ビーコン・コードを生成する複数のビーコン・シンボルに部分的に基づいてセクタを決定することもできる。さらに、モバイル・デバイス３０４は、送信に関するさらなる情報を決定するために、そのタイマ３１２を導入しうる。例えば、ビーコン・シンボルは、ある所定のタイム・スロットで送られうる。この場合、モバイル・デバイス３０４は、送信がビーコン・シンボルであるか、あるいは、タイマ３１２によって判定されたタイム・スロットに基づいていないのかを区別しうる。
【００４１】
例によれば、エンコーダ３１０は、基地局３０２のセクタ識別子に関連するビーコン・コード（例えば、ビーコン・シンボルのシーケンス）を生成しうる。ビーコン・シンボル・アサイナ３０８は、ビーコン・コードの一部を送信する１または複数のタイム・スロットについて、１または複数のサブキャリアを割り当てうる。さらに、エンコーダ３１０は、ビーコン・コードまたはその一部（例えば、送信された部分）を、（例えば、ＩＦＦＴを実行することによって）時間領域に変換しうる。タイマ３０６を利用して、基地局３０２は、ビーコン・コードにしたがってビーコンをブロードキャストすることができる。モバイル・デバイス３０４は、このブロードキャストを受信し、このブロードキャストについて、デコーダ３１４を用いてＦＦＴを実行し、帯域幅のシンボルを、周波数領域に変換する。これは、ビーコン・シンボルを示す別のものよりも実質的に多いエネルギーを持つ、１つのシンボルまたは少数のシンボルを生み出すだろう。タイマ３１２は、ビーコン・シンボルの受信時間を区別するために利用されうる。このビーコンにおける追加情報を用いて、モバイル・デバイス３０４は、例えば、ビーコンが属するセクタを特定しうる。例では、この情報は、デコーダ３１４によっても区別されうる。ビーコンが、別々にブロードキャストされるシンボルのコードである場合、モバイル・デバイス３０４は、複数のシンボルが到着するとそれらを復号し、タイマ３１２を用いて、ビーコン・シンボルのタイミングを区別することができる。この情報を使用して、モバイル・デバイス３０４は、ビーコンのソース、および／またはソースに関連する他の情報を特定しうる。さらに、モバイル・デバイス３０４は、例えば、基地局３０２またはセクタからの次のビーコン送信および非ビーコン送信と使用される関連するスーパフレーム・プリアンブルの位置を特定しうる。この点において、モバイル・デバイス３０４は、モバイル・デバイス３０４によって認識されうる有効なビーコン・シンボルまたはビーコン・コード（これらは例えばメモリ内に格納されうる）を備えうる。
【００４２】
図４に、時間期間４００にわたる２つの帯域幅の表現が、２つの異なる送信機のために示される。帯域幅は、所与のシンボル期間４０２、４０６、４１０、４１４、４１８、４２２の複数のサブキャリアによって表され、時間期間は、例えば予め定めた持続時間を有しうる１または複数のスーパフレーム４２６に分離されうる。図示するシンボル期間４０２、４０６、４１０、４１４、４１８、４２２のおのおのは、実質的に、電力を使用するシンボル期間におけるサブキャリアのみとしてそれぞれ表現されうる（他のサブキャリアは電力が与えられないので、実質的に、利用可能な全ての電力となりうる）。図示するように、ビーコン・シンボル４０４、４０８、４１２は、各スーパフレームの異なる時間期間で、および／または、異なるサブキャリアで送信されうる。さらに、第２の送信機４１６、４２０、４２４のビーコン・シンボルは、異なるシンボル期間でブロードキャストされ、第１の送信機からのシンボルと区別することができる。一例として、図示していないが、これら送信機は、実質的に同じビーコン・コード（例えば、連続した複数のビーコン・シンボル）を使用しうる。この例において、異なるシンボル期間でシンボルを送信することによって、例えば、実質的に同じビーコン・コードを送信する２つの送信機間の混乱を緩和しうる。複数のビーコン・シンボルがスーパフレーム毎に送信され、また、１または複数のスーパフレームが、スキップされ、ビーコン・シンボルを送信しないことが認識される。
【００４３】
一例によれば、ビーコン・シンボル４０４、４０８、４１２は、所与の基地局について同じまたは異なるセクタ、単一のセクタについての１または複数のキャリア、等に関連しうる。さらに、ビーコン・シンボル４１６、４２０、４２４は、例えば、所与の基地局または異なる基地局すべてあわせた中での異なるセクタおよび／または送信機／キャリアに関連しうる。この点について、ビーコン・シンボル４０４、４０８、４１２は、基地局またはセクタ（例えば、セクタＩＤ等）の識別子に基づいて選択されうる。例えば、基地局は、複数のセクタ内における通信を容易にする複数の送信機を有しうる。そして、異なるサブキャリア、時間期間、および／またはスーパフレームにおける各セクタについて、ビーコン・シンボルが送られる。別の例では、セクタは、同様にビーコン・シンボルを送ることができる多くのキャリアを有しうる。したがって、ビーコン・シンボル４０４は、セクタまたはキャリアに関連し、ビーコン・シンボル４０８は、別のセクタまたはキャリアに関連し、ビーコン・シンボル４１２は、さらに別のセクタまたはキャリアに関連しうる。一例において、ビーコン・シンボルは、この図では示されていないが、スーパフレーム内の複数のＯＦＤＭシンボルを用いて、１または複数のスーパフレーム内で送信されうる。さらに、同じサブキャリアまたは異なるサブキャリアが、所与のセクタの各々の送信のために使用され、サブキャリアはまた、１つの例において、セクタ間で回転されうる。さらに、時間スロットは、例えば、所与のセクタのスーパフレームのシーケンスまたは各スーパフレームにおいて、同じまたは別でありうる。別の例によれば、送信は、時間期間において、基地局によって送られ、ビーコン・シンボルが送信される必要がある場合、パンクチャされる。
【００４４】
別の例では、ビーコン・シンボル４０４、４０８、４１２は、３つの表示されたスーパフレームのおのおのにおいてビーコンを送信するか、あるいは、前述したように複数のビーコン・シンボルをビーコン・コードの一部として送信する基地局の単一のセクタに関連しうる。この点において、ビーコン・シンボル４１６、４２０、４２４は、他のビーコン・コードと関連しうる。１つの例では、ビーコン・シンボル４０４、４０８、および／または４１２（同様に、４１６、４２０、および／または４２４）のうちの少なくとも１つが、ビーコン・コードで次のシンボルを送信する際に使用されるタイミングおよび／またはサブキャリアに関連する情報を提供しうる。混乱を緩和するために、１より多い基地局が、実質的に同じコードを提供しうることが認識されるべきである。これらコードは、１または複数の基地局の送信領域内で、デバイスによって競合する時間においてシンボルが受信されないように、本明細書に記載のスーパフレームのタイム・スロット／シンボル期間にしたがってオフセットされうる。図示していないが、幾つかのシンボルについて、２つのビーコン（あるいはそれ以上のビーコン）がオーバラップしうる（例えば、異なるセクタのビーコン・シンボルがオーバラップしうる）。さらに、図示していないが、（例えば、セクタ、基地局、モバイル・デバイス等の）ビーコンに関する複数のビーコン・シンボルが、単一のスーパフレームでも同様に送信されるように選択されうる。
【００４５】
一例において、スーパフレーム４２６は、例えば４０６のような所与のシンボル期間について、例えば４０８で示すように、２５６個の利用可能なサブキャリア（例えば、ＯＦＤＭシンボル）を有しうる。さらに、５１２個（または、２５６よりも多い別の数）のセクタが、所与の領域で送信されうる。この例では、ビーコン・シンボルを送信するために、２５６個のサブキャリアとともにタイム・シフトを用いることによって、全てのセクタのために、コンフリクトなく、ビーコン・シンボルを送信することを容易にしうる。この目的を達成するために、セクタは、前述したように、例えば、基地局の設置前あるいは設置中におけるネットワーク計画と、権利主張されたあるいは割り当てられたタイム・スロットに関するセクタ間の通信と、他のセクタのビーコン・スロットに関する例えばモバイル・デバイスのような他のデバイスから受信した情報と、例えば識別子のようなセクタ自体に関する情報等を含むタイム・シフト構成を適用しうる。
【００４６】
図５には、無線通信ネットワークにおけるマルチ・セル・レイアウト５００が示される。このネットワークは、例えば、図示するように、各々に特定のキャリアが割り当てられうる基地局が３つのセクタを有しうるように、１または複数の送信キャリアまたはセクタを有する複数の基地局５０２を備えうる。この図では、隣接するセクタが、例えばセクタ内の干渉を緩和するために、異なるキャリアを用いて示される。これは、例えば、３つの要因を有する周波数再使用として称されうる。この点に関し、キャリアは、波形を送るためにセクタによって使用される周波数の範囲として称されうる。
【００４７】
そのようなネットワーク構成におけるビーコン・シンボルは、周波数を再使用することによって、あるいは周波数を再使用することなく送信されうる。例えば、基地局５０２の１つのキャリアがビーコン・シンボルを送信するか、あるいは、１を超えるキャリアが、そのような送信を行いうる。さらに、データ送信は、キャリアのデータ使用とビーコンとからなる幾つかの可能な組み合わせを生成することのみならず、そのような構成を利用しうる。一例において、データ・シンボルとビーコン・シンボルとの両方が、単一のキャリアで送信されうる。好適なキャリアが、ビーコンとデータとの両方について使用されうるので、ビーコン・シンボルのオーバヘッドが低減されうる。別の例において、ビーコン・シンボルは、単一キャリアで、データを備える１を超えるキャリアで送信しうる。この構成によって、モバイル・デバイスは、データ・キャリア上での現在の通信を中断することなく、異なるキャリア上でビーコンを検出できるようになる。さらに、一例では、データ送信は中断されず、ビーコンの送信が可能となるので、より高い電力が、ビーコン・シンボルに与えられうる（例えば、帯域外デバイスによるパイロット検出を容易にする）。例えば、データおよびビーコンに対して、送信のために利用可能なセクタのうちの複数を利用させること同様、前述した構成の逆のような、他の構成もまた可能であることが認識されるべきである。
【００４８】
前述したように、同じまたは異なるサブキャリア、および／または同じまたは異なるシンボル期間、および／または（例えば、スーパフレーム毎の）タイム・スロットを用いて、ビーコン・シンボルが送られうる。ビーコン・シンボルは、例えば、セクタ識別子、および／または（擬似乱数、グループ識別子、１または複数のセクタまたはキャリア識別子、好適なキャリア・インデクス等のような）他のタイプの識別子に関する情報を備えうる。一例において、所与のセクタまたはキャリアのビーコンは、ビーコン・コードまたはパターンを形成する１または複数のビーコン・シンボルを備えうる。本質的にはどのようなコードもビーコンに使用することが可能であり、所与の数のスーパフレームについて、スーパフレーム毎に、ゼロから多数までのビーコン・シンボルが送信される。そのような１つのコードは、ビーコンを形成するビーコン・シンボルを送信するために、最大距離分離（maximum distance separable）（ＭＤＳ）符号を用いることを伴う。ＭＤＳ符号は、一例において、ビーコン・メッセージの（例えば、ビットでの）長さ、ビーコンを送信するのに利用可能なサブキャリアの数、ビーコン・メッセージのために望まれる冗長量、非バイナリ・シンボルのシーケンスの長さ、および／または、更なる類似要因のうちの少なくとも１つを評価することによって定式化されうる。
【００４９】
一例によれば、基地局５０２からビーコンを送信するために、２５６個のサブキャリアが利用可能でありうる。ここでは、ビーコンは、（前述したデータを含む）１２ビットのメッセージであり、セクタは、非バイナリ・シンボルを送信することができるので、ＭＤＳ符号は、非バイナリ・シンボルの２＾１２＝４０９６の異なるシーケンスをサポートすることが要求されうる。一例において、ビーコン・シンボルは、インデクスｔによって示される異なる時に送信することができる。ここで、０≦ｔ＜∞である。これらのシンボルについて、ビーコンは、  
【数１】
2010508730.tif 000003
【００５０】
のように表されるインデクスＸｔ（α１，α２）を持つサブキャリアで送信されうる。ここで、ｐ１およびｐ２は、（サブキャリアを表す２５７個の要素を備える）フィールドＺ２５７の原始関数要素であり、α１およびα２は、ビーコン・メッセージに少なくとも部分的に基づいて決定される指数係数であり（以下に記載する）、  
【数２】
2010508730.tif 000004
【００５１】
は、モジュロ加算を示す。この例において、ｐ１およびｐ２は、このフィールドのゼロではない２５６個全ての要素を生成するＺ２５７の要素を表しうる。より平凡な例では、５は、ゼロではない６つ全ての要素（５０ｍｏｄ７＝１、５１ｍｏｄ７＝５、５２ｍｏｄ７＝４、５３ｍｏｄ７＝６、５４ｍｏｄ７＝２、５５ｍｏｄ７＝３）を生成するために使用されるので、Ｚ７は、５を有しうる。さらに、指数係数α１およびα２は、以下のように定義されうる。  
【数３】
2010508730.tif 000005
【００５２】
したがって、合計して１６＊２５６＝４０９６のα１とα２との異なる組み合わせが、式によって定義されうる。例えば、これは、４０９６の利用可能なシーケンスを有する１２ビットのメッセージをサポートしうる。さらに、この点において、α１とα２とのユニークな組み合わせは、異なるメッセージ、（したがって、ビーコンに関する非バイナリ・シンボルからなる異なるシーケンス）に対応する。例では、メッセージが、ランダム、ネットワーク計画または設定による静的な割り当て、履歴ベース等を含む実質的にあらゆる方法で、利用可能なシンボルにマップされうる。１つの例によれば、α１とα２との所与の組み合わせについて、メッセージＭは、例えば、Ｍ＝２５６＊α１＋α２へマップされうる。１つの例では、ｉ＝１，２である場合、ｐｉ２５６＝１であるので、前述した式のコードは、２５６／１６＝１６シンボルの周期で周期的でありうる。したがって、所与のｔの値の場合、Ｘ（α１，α２）＝Ｘｔ＋１６（α１，α２）である。ビーコン・シンボルは、このようにして、時間およびサブキャリアにしたがってシフトされうる。
【００５３】
Ｒｅｅｄ−Ｓｏｌｏｍｏｎコードを用いた別の例によれば、２１１のサブキャリアが、ビーコン・シンボルを送信するために利用可能でありうる（例えば、４０２において、ｎ＝２１１）。ここで、ビーコン・シンボルは、（前述したデータを含む）１２ビット・メッセージでありうるので、Ｒｅｅｄ−Ｓｏｌｏｍｏｎコードは、（例えば、セクタが送信する）非バイナリ・シンボルからなる少なくとも２＾１２＝４０９６の異なるシーケンスをサポートすることが要求されうる。この例によれば、ビーコン・シンボルは、  
【数４】
2010508730.tif 000006
【００５４】
のように表されうるインデクスＸｔ（α１，α２）を持つサブキャリアで送信されうる。ここで、ｐ１は、（サブキャリアを表す２１１の要素を備える）フィールドＺ２１１の原始関数要素であり、ｐ２＝Ｐ１２である。また、α１およびα２は、ビーコン・メッセージに少なくとも部分的に基づいて決定される指数係数であり（以下に記載する）、  
【数５】
2010508730.tif 000007
【００５５】
は、モジュロ加算を示す。この例において、ｐ１＝２０７およびｐ２＝ｐ１２＝１６である。他の例では、ｐ１について他の原始関数要素が使用されうる。ｐ１の値が小さいことは、  
【数６】
2010508730.tif 000008
【００５６】
と  
【数７】
2010508730.tif 000009
【００５７】
とが互いに近接していることを意味するので、大きな原始関数要素は、大きな周波数ダイバーシティを与えうる。ｐ２＝ｐ１２を選択することは、増加する指数関数の重み合計によって特徴付けられうるＲｅｅｄ−Ｓｏｌｏｍｏｎコードとなる。
【００５８】
指数係数α１およびα２は、以下のように定義されうる。  
【数８】
2010508730.tif 000010
【００５９】
したがって、合計して、２１＊２１０＝４４１０のα１とα２との異なる組み合わせが、式によって定義されうる。例えば、これは、４０９６の利用可能なシーケンスを有する１２ビットのメッセージをサポートしうる。さらに、この点において、α１とα２とのユニークな組み合わせは、異なるメッセージ、（したがって、ビーコンに関する非バイナリ・シンボルからなる異なるシーケンス）に対応する。例では、メッセージが、ランダム、ネットワーク計画または設定による静的な割り当て、履歴ベース等を含む実質的にあらゆる方法で、利用可能なシンボルにマップされうる。１つの例によれば、α１とα２との所与の組み合わせについて、メッセージＭは、例えば、Ｍ＝２１０＊α１＋α２へマップされうる。１つの例では、ｉ＝１，２である場合、ｐｉ２１０＝１であるので、前述した式のコードは、２１０／２１＝１０シンボルの周期で周期的でありうる。したがって、所与のｔの値の場合、Ｘ（α１，α２）＝Ｘｔ＋１０（α１，α２）である。ビーコン・シンボルは、このようにして、例えば、受信機へ情報を伝送するために、サブキャリアにしたがってシフトされうる。
【００６０】
ビーコン・コードを送信するためのさらに別の例によれば、１または複数のセクタの範囲内の基地局５０２とデバイスとの間の通信を容易にするために４７のサブキャリアが使用されうる。これに関して、サブキャリア０−４６が、ビーコン信号（と同様、その他のデータも）を送るために利用されうる。前の例では、例えば１２ビットのビーコン・コードが、４０９６の異なるシーケンスをサポートすることを必要としうる。それを容易にするために、ビーコン・シンボルは、
【数９】
2010508730.tif 000011
【００６１】
のように表されるインデクスＸｔ（α１，α２，α３）を持つサブキャリアで送信されうる。ここで、ｐ１およびｐ２は、（サブキャリアを表す４７の要素を備える）フィールドＺ４７の原始関数要素であり、α１、α２、およびα３は、ビーコン・メッセージに少なくとも部分的に基づいて決定される指数係数であり（以下に記載する）、  
【数１０】
2010508730.tif 000012
【００６２】
は、モジュロ加算を示す。この例において、指数係数α１、α２、およびα３は、  
【数１１】
2010508730.tif 000013
【００６３】
として定義されうる。したがって、合計して、２＊４６＊４６＝４２３２のα１とα２とα３との異なる組み合わせが、式によって定義されうるので、ビーコン・シンボルのために必要な４０９６の組み合わせをサポートする。ビーコン・メッセージは、一例として、Ｍ＝２１１６＊α１＋４６＊α２＋α３として、組み合わせにマップされうる。上述したものと同様に、更なるマッピングおよび／または代替マッピングも使用できうる。例えば、ｉ＝１，２，３である場合、ｐｉ４６＝１であるので、コードは、４６／２＝２３シンボルの周期で周期的でありうる。したがって、所与のｔの値の場合、Ｘｔ（α１，α２，α３）＝Ｘｔ＋２３（α１，α２，α３）である。
【００６４】
以降「ビーコン・コードＢ’」と称されるＭＤＳ符号を用いた別の例は、ビーコン・シンボルを送信するために４７のサブキャリアを用いて設計されたＲｅｅｄ−Ｓｏｌｏｍｏｎコードでありうる（例えば、シンボル期間４０２に関するサブキャリアにおいてｎ＝４７である）。前の例のように、例えば、１２ビットのビーコン・コードは、４０９６の異なるシーケンスのサポートを必要としうる。それを容易にするために、ビーコン・シンボルは、  
【数１２】
2010508730.tif 000014
【００６５】
のように表されるインデクスＸｔ（α１，α２，α３）を持つサブキャリアで送信されうる。ここで、ｐ１は、（サブキャリアを表す４７の要素を備える）フィールドＺ４７の原始関数要素であり、ｐ２＝ｐ１２、ｐ３＝ｐ１３である。α１、α２、およびα３は、（本明細書に記載しているように）ビーコン・メッセージに少なくとも部分的に基づいて決定される指数係数である。この例では、算術演算はフィールドＺ４７を超える場合があり、１つの例では、ｐ１＝４５、ｐ２＝ｐ１２＝４、およびｐ３＝ｐ１３＝３９である。ｐ１について他の原始関数要素もまた使用されうる。ｐ２＝ｐ１２およびｐ３＝ｐ１３の選択は、例えば、上記式におけるＲｅｅｄ−Ｓｏｌｏｍｏｎコードとなる。さらに、α１、α２、およびα３は、  
【数１３】
2010508730.tif 000015
【００６６】
のように定義されうる。α１、α２、およびα３からなる４０９６より多い別の組み合わせもこの式によって定義されうる。例えば、ｉ＝１，２，３である場合、ｐｉ４６＝１であるので、このコードは、４６／２＝２３シンボルの周期で周期的でありうる。したがって、所与のｔの値の場合、Ｘ（α１，α２，α３）＝Ｘｔ＋２３（α１，α２，α３）である。
【００６７】
本明細書に記載された主題は、前述した例に限定されないことが認識されるべきである。そうではなく、これら例は、実質的に任意の数である実施のうちの２つであり、本明細書では、説明を容易にするために表されている。端末やデバイスが、１つのビーコン・シンボルのみに基づいてビーコンを復号できるように設計されたパージＭＤＳ符号のような他のスキームもまた利用されうる。ビーコン・コードは、ビーコン・メッセージ長、利用可能なキャリアの数、所望の性能（例えば、信号対雑音比）に基づくのみならず、ここで述べられたようなネットワーク計画、他のセクタまたはビーコンに関して導出された情報を含む多くの要因にしたがって選択されうることが認識されるべきである。
【００６８】
図６および図７に示すように、複数のサブキャリアおよびシンボル期間でビーコンまたはシンボルをブロードキャストすることに関連する方法論が例示される。これら方法論は、説明を簡単にする目的で一連の動作として示され説明されているが、これら方法論は、この動作順に限定されず、１または複数の実施形態にしたがって、幾つかの動作が、本明細書に示し記載されたものとは、異なる順序で、および／または、他の動作と同時に起こりうることが理解され認識されるべきである。例えば、当業者であれば、方法論は、例えば状態図のような相互関連する状態またはイベントのシリーズとして表現されうることを理解し認識するだろう。さらに、１または複数の実施形態にしたがう方法論を実現するために、例示された全ての動作が必要とされる訳ではない。
【００６９】
図６に示すように、セクタ間のビーコン・シンボル衝突の回避を容易にするために、同じサブキャリアまたは異なるサブキャリアを用いて、異なるシンボル期間またはタイム・スロットで複数のビーコン・シンボルを送信することを容易にする方法論６００が例示されている。６０２では、第１のビーコン・シンボルを送信するために、第１のシンボル期間とサブキャリアとが選択される。ビーコン・シンボルは、例えば識別子または他の通信データのような、シンボルの送信者に関する情報を備えうることが認識されるべきである。一例では、ビーコン・シンボルは、所与のシンボル期間において、サブキャリアについて利用可能な実質的に全ての電力を用いて送信されうる。衝突を回避するために、６０４において、第２のビーコン・シンボルを送信するために、第２のシンボル期間およびサブキャリアが選択されうる。サブキャリアは、第１のビーコン・シンボルについて用いられたものと同様であるか、あるいは、利用可能な帯域幅における別のサブキャリアでありうる。ビーコン・シンボルを送るために同じ送信機または別の送信機が利用されうることが認識されるべきである。シンボルを送信するために、異なる時間を選択するスキームによって、例えば、受信デバイスに関するビーコン・シンボルの衝突を回避しうる。シンボル期間および／またはサブキャリアは、例えば前述したように、限定される訳ではないが、ネットワーク計画、（送信機から、あるいは、ローミングしているデバイスからであれ）他の送信機に関して取得された情報、例えば製造者および／または使用されている帯域幅のように、送信機に関して取得されたその他の情報からなされる推論を含む多くの異なるスキームにしたがって選択されうる。
【００７０】
６０６では、第１のビーコン・シンボルが、第１のタイム・スロットまたはシンボル期間中に、第１のサブキャリアで送信されうる。例えば、これは、ＯＦＤＭ構成におけるスーパフレームのシンボル期間でありうる。そして、ビーコン・シンボルは、１つの例では、シンボル期間中に生じる実質的に唯一の送信でありうる。６０８では、第２のビーコン・シンボルが、サブキャリアで、第２のシンボル期間中に送信される。例えば、この第２のシンボル期間は、スーパフレームと同じでありうるか、あるいは異なりうる。また、第２のサブキャリアは、第１のサブキャリアと同じである場合も、異なる場合もある。一例において、第１のビーコン・シンボルおよび第２のビーコン・シンボルが、別の領域から送信されうる。しかしながら、ビーコン・シンボルはまた、１つの領域のために送信されたパターンまたはビーコン・コードの一部でありうる。したがって、ビーコンは、一例において、個別のビーコン・シンボルを復号することによってその全体が復号されうる。さらに、一例によれば、ビーコン・シンボルは、同期通信環境におけるタイマにしたがって送られうる。
【００７１】
図７に示すように、異なるシンボル期間およびサブキャリアで、複数のビーコン・シンボルを受信することを容易にする方法論７００が例示される。７０２において、第１のビーコン・シンボルが、第１のシンボル期間中に受信される。これは、例えばＯＦＤＭ無線通信ネットワークにおける所与のスーパフレームのシンボル期間であり、帯域幅内の単一のあるいは少数のサブキャリアで受信されうる。サブキャリアは、通信を容易にするためにシンボルを送信しうる。一例では、ビーコン・シンボルは、所与の期間において、送信機から送信される唯一のシンボルでありうるので、特に強くなりうる。１つの実施形態において、受信エンティティは、他の送信機から他のシンボルを受信するが、ビーコン・シンボルは、キャリアで使用される唯一のシンボルでありうるので、容易に識別されうる。７０４において、第２のビーコン・シンボルが、第２のシンボル期間内で受信される。このシンボルは、同じサブキャリアまたは別のサブキャリアで送信されうることが認識されるべきである。さらに、ビーコン・シンボルは、例えば、同じまたは異なるキャリアあるいはセクタによって送られうる。
【００７２】
７０６では、ビーコン・シンボルの第１のセットが復号され、シンボルの送信機に関する情報が決定される。説明したように、この情報は、送信機および／または通信仕様の識別子を含みうる。この情報はまた、あるいは、その代わりに、他のビーコン・シンボルに関する仕様を含みうる。ここで、ビーコンは、１または複数のシンボルのパターンからなりうる。７０８では、第２のビーコン・シンボルの第２のセットが復号され、送信機に関する情報が決定される。第１および第２のシンボル・セットの送信機は、異なる送信機であるか、あるいは同じ送信機でありうることが認識されるべきである。この点について、例えば、送信機に関連するか、および／または、送信機からの他のビーコン・シンボルに関するさらなる情報が、第２のビーコン・シンボル内に備えられうる。さらに、ステップ７０６およびステップ７０８、あるいは、図示するステップのうちの実質的に何れかが、連続してあるいは並行して実行されうる。
【００７３】
本明細書に記載した１または複数の局面にしたがって、説明したように１または複数のビーコン・シンボルを送るためのシンボル期間および／またはサブキャリアを選択または決定することに関する推論がなされうる。本明細書で使用されるように、「推論する」あるいは「推論」という用語は、一般に、イベントおよび／またはデータを介して取得されたような観察のセットから、システム、環境、および／またはユーザの状態を推論または論証するプロセスを称する。推論は、特定のコンテキストまたは動作を特定するために適用できうるか、あるいは、例えば、状態に関する確率分布を生成しうる。推論は、確率論的でありうる。すなわち、データおよびイベントの考慮に基づく、当該状態に関する確率分布の計算でありうる。推論はまた、イベントおよび／またはデータのセットからより高いレベルのイベントを構成するために適用される技術を称することができる。そのような推論によって、観察されたイベントおよび／または格納されたイベント・データから、これらのイベントが、時間的に近接して相関していようといまいと、イベントおよびデータが、１または幾つかのイベント・ソースおよびデータ・ソースから由来していようと、新たなイベントまたは動作が構築される。
【００７４】
例によれば、上述された１または複数の方法は、ビーコン・シンボルを送信するための１または複数のシンボル期間またはサブキャリアを選択することに関連して推論を行うことを含みうる。さらなる例によれば、（推論しているエンティティまたは、送信領域を移動しているその他のエンティティによって取得される）ビーコン・シンボルを送信している他のエンティティに関して収集された情報に関して推論がなされる。前述した例は、本質的に例示的であり、なされる推論の数、あるいは、本明細書に記載した様々な実施形態および／または方法と連携して推論がなされる方法を限定することが意図されていないことが認識されるだろう。
【００７５】
図８は、（例えば、ＯＦＤＭ通信ネットワークにおけるスーパフレームについて）複数のタイム・スロットおよび／または複数のサブキャリアでビーコン・シンボルを受信することを容易にするモバイル・デバイス８００を例示する。モバイル・デバイス８００は、例えば、（図示しない）受信アンテナから信号を受信する受信機８０２を備え、受信した信号について一般的な処理（例えば、フィルタ、増幅、ダウンコンバート等）を実行し、調整された信号をデジタル化して、サンプルを得る。受信機８０２は、例えばＭＭＳＥ受信機であり、受信したサンプルを復調し、それらをチャネル推定のためにプロセッサ８０６へ送る復調器８０４を備えうる。プロセッサ８０６は、受信機８０２によって受信された情報を分析し、および／または、送信機８１６による送信のための情報を生成することに特化されたプロセッサ、モバイル・デバイス８００の１または複数の構成要素を制御するプロセッサ、および／または、受信機８０２によって受信された情報を分析することと、送信機８１６による送信のための情報を生成することと、モバイル・デバイス８００のうちの１または複数の構成要素を制御することとを全て行うプロセッサでありうる。
【００７６】
モバイル・デバイス８００はさらに、プロセッサ８０６と動作可能に接続されており、送信されるデータ、受信したデータ、利用可能なチャネルに関する情報、分析された信号および／または干渉強度に関するデータ、割り当てられたチャネルに関する情報、電力、レート等、および、チャネルの推定およびチャネルを介した通信のためのその他任意の適切な情報を格納しうるメモリ８０８を備えうる。メモリ８０８はさらに、（例えば、パフォーマンス・レベル、キャパシティ・レベル等の）チャネルの推定および／または利用に関するアルゴリズムおよび／またはプロトコルを格納しうる。
【００７７】
本明細書に記載のデータ・ストア（例えば、メモリ８０８）は、揮発性メモリまたは不揮発性メモリの何れかであるか、あるいは、揮発性メモリと不揮発性メモリとの両方を含みうることが認識されるだろう。限定ではなく、例示によって、不揮発性メモリは、読取専用メモリ（ＲＯＭ）、プログラマブルＲＯＭ（ＰＲＯＭ）、電子プログラマブルＲＯＭ（ＥＰＲＯＭ）、電子的消去可能ＰＲＯＭ（ＥＥＰＲＯＭ）、またはフラッシュ・メモリを含みうる。揮発性メモリは、外部キャッシュ・メモリの役割をするランダム・アクセス・メモリ（ＲＡＭ）を含みうる。限定ではなく、例示によって、ＲＡＭは、例えば、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、Ｓｙｎｃｈｌｉｎｋ  ＤＲＡＭ（ＳＬＤＲＡＭ）、およびダイレクトＲａｍｂｕｓ  ＲＡＭ（ＤＲＲＡＭ）のような多くの形式で利用可能である。主題システムおよび方法のメモリ８０８は、限定されるのではなく、これらおよびその他任意の適切なタイプのメモリを備えることが意図される。
【００７８】
受信機８０２はさらに、例えば、受信機８０２によって受信された送信を評価する際に、タイミングが因子となりうるように、同期通信構成における通信を容易にするタイマ８１０と動作可能に接続されている。例によれば、送信は、送られるシンボル期間（本明細書における例えばビーコン・シンボル）またはタイム・スロットに少なくとも部分的に基づいて分類されうる。さらに、ビーコン・シンボル・デコーダ８１２は、単一のシンボルまたはコードあるいはパターンの一部であろうとも、受信したシンボルがビーコン・シンボルであるかを判定するためにタイマ８１０を利用しうる。一例によれば、ビーコン・シンボル・デコーダ８１２は、復調器８０４による復調後のビーコン・シンボルも同様に識別しうる。したがって、受信機８０２は、複数のシンボル期間にわたって、複数のサブキャリアで１または複数のビーコン・シンボルを受信し、（例えば、セクタ識別子、ビーコンの期間、ビーコン・コード内のシンボル数、ビーコン・シンボルまたはその送信機に関する実質的なあらゆる情報のような）ビーコン・シンボルからの情報を収集するために、ビーコン・シンボル・デコーダ８１２を導入しうる。ビーコン・シンボル・デコーダ８１２は、受信したタイム・スロットに関わらず、受信したビーコン・シンボルを復号しうるので、送信機は、複数のタイム・スロットでビーコン・シンボルをブロードキャストし、衝突を回避することができる。この目的のために、タイマ８１０はまた、ビーコン・シンボルの解釈を支援し、例えば、他のシンボルが期待されるときを判定する。モバイル・デバイス８００はさらに、変調器８１４と、通信信号を例えば基地局や他のモバイル・デバイス等に送信する送信機８１６とを備える。以前に説明したように、一例において、モバイル・デバイス８００は、１または複数のビーコン・シンボル送信機からビーコン・シンボル情報を受信して、１または複数のその他のビーコン・シンボル送信機に提供し、以前に説明したような効果的なビーコン・シンボル・タイム・シフトを容易にする。プロセッサ８０６とは別に示されているが、タイマ８１０、ビーコン・シンボル・デコーダ８１２、および／または変調器８１４は、プロセッサ８０６の一部であるか、あるいは（図示しない）多くのプロセッサでありうることが認識されるべきである。
【００７９】
図９は、異なるタイム・スロットまたはシンボル期間、および／または異なるサブキャリアで１または複数のビーコン・シンボルを送信することを容易にするシステム９００を例示する。例えば、システム９００は、ＯＦＤＭ通信ネットワークで動作しうる。ここでは、ビーコン・シンボルが、１または実質的に１つのサブキャリアを用いて、スーパフレームの異なるシンボル期間で送信されうる。このシステム９００は、複数の受信アンテナ９０６を介して１または複数のモバイル・デバイス９０４（および、そのような信号を復調する復調器９１２）から信号を受信する受信機９１０と、送信アンテナ９０８を介して１または複数のモバイル・デバイス９０４へ送信する送信機９２４とを備えた基地局９０２（例えば、アクセス・ポイント等）を備える。送信機９２４は例えば、基地局９０２に関連する１または複数のビーコン・シンボルを送信しうる。ビーコン・シンボルは、基地局９０２および／またはその１または複数のセクタに関する情報を識別しうる。例えば、ビーコン・シンボルは、基地局９０２および／またはセクタを識別する役割を担いうる。さらに、ビーコン・シンボルは、一例において、複数のビーコン・シンボルにまたがって重なるビーコンの一部でありうる。ビーコン・シンボルは、変調器９２２によって周波数領域に変調され、例えば、送信機９２４を用いて１または複数の送信アンテナ９０８によって送信されうる。
【００８０】
例えば、基地局は、ビーコン・シンボルを送信するサブキャリアまたは１または複数のシンボル期間を選択（および／または、例えば前述したように推論に基づいて決定）するために、本明細書で記載したようなビーコン・シンボル・アサイナ９２０を導入しうる。その間、基地局９０２は、ビーコン・シンボルが、スーパフレーム内の異なるシンボル期間で送信されるようにし、もって、可能なビーコン・シンボル送信スロットの数を、多くのサブキャリアへと指数関数的に増加させることによって、限定された数の帯域幅しか持たない所与の時間において、デバイスの範囲内に多くの送信セクタを有するネットワークに参加しうる。一例において、タイマ９１８は、基地局９０２が同期通信ネットワークにおいて選択された期間で、ビーコン・シンボルを送信できるようにすることによって、この機能を容易にすることを支援しうる。タイマ９１８およびビーコン・シンボル・アサイナ９２０は、この機能を有効にするためにプロセッサ９０４によって導入されうることが認識されるべきである。さらにあるいはその代わりに、タイマ９１８とビーコン・シンボル・アサイナ９２０の何れかまたは全てが、プロセッサ９１４内に常駐されるか、あるいはプロセッサ９１４によって実現されうる。さらに、メモリ９１６は、前述した機能を行うための命令群を備えうる。さらに、メモリ９１６は、ビーコン・シンボルを送信する際に使用するサブキャリアおよび／またはシンボル期間に関する情報も備えうる。説明したように、これは、例えばネットワーク計画、その他のデバイスのような様々なソースから導出され、例えば過去の使用またはその他のデバイスの情報または挙動から推論されうる。
【００８１】
図１０は、無線通信システム１０００の例を示す。無線通信システム１０００は、簡潔のために、１つの基地局１０１０と１つのモバイル・デバイス１０５０を示している。しかしながら、システム１０００は、１より多い基地局および／または１より多いモバイル・デバイスを含みうることが認識されるべきである。ここで、追加の基地局および／またはモバイル・デバイスは、以下に説明する例である基地局１０１０およびモバイル・デバイス１０５０と実質的に類似しているか、あるいは異なりうる。さらに、本明細書に記載の基地局１０１０および／またはモバイル・デバイス１０５０は、システム（図１乃至図３、図８乃至図９）、技術／構成（図４乃至図５）、および／または方法（図６乃至図７）を適用し、その間の無線通信を容易にすることが認識されるべきである。
【００８２】
基地局１０１０では、多くのデータ・ストリームのトラフィック・データが、データ・ソース１０１２から送信（ＴＸ）データ・プロセッサ１０１４へ提供される。例によれば、各データ・ストリームは、それぞれのアンテナを介して送信されうる。ＴＸデータ・プロセッサ１０１４は、そのデータ・ストリームのために選択された特定の符合化スキームに基づいて、トラフィック・データ・ストリームをフォーマットし、符合化し、インタリーブして、符合化データを提供する。
【００８３】
各データ・ストリームの符合化データは、直交周波数分割多重化（ＯＦＤＭ）技術を用いて、パイロット・データと多重化されうる。さらにあるいはその代わりに、パイロット・シンボルは、周波数分割多重化（ＦＤＭ）、時分割多重化（ＴＤＭ）、または符号分割多重化（ＣＤＭ）されうる。パイロット・データは一般に、周知の手法で処理される既知のデータ・パターンであり、チャネル応答を推定するために、モバイル・デバイス１０５０において使用されうる。各データ・ストリームの符合化データおよび多重化されたパイロットは、そのデータ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが得られる。各データ・ストリームのデータ・レート、符合化、および変調は、プロセッサ１０３０によって実行または提供される命令群によって決定されうる。
【００８４】
データ・ストリームの変調シンボルは、ＴＸ  ＭＩＭＯプロセッサ１０２０に供給されうる。ＴＸ  ＭＩＭＯプロセッサ１０２０はさらに、（例えば、ＯＦＤＭ用の）変調シンボルを処理する。その後、ＴＸ  ＭＩＭＯプロセッサ１０２０は、ＮＴ個の変調シンボル・ストリームを、送信機（ＴＭＴＲ）１０２２ａ乃至１０２２ｔへ提供する。様々な実施形態において、ＴＸ  ＭＩＭＯプロセッサ１０２０は、ビーム形成重みを、データ・ストリームのシンボル、および、シンボルが送信されるアンテナへ適用する。
【００８５】
送信機１０２２のおのおのは、各シンボル・ストリームを処理して、１または複数のアナログ信号を提供し、さらに、このアナログ信号を調整（例えば、増幅、フィルタ、およびアップコンバート）して、ＭＩＭＯチャネルを介した送信に適切な変調信号を提供する。さらに、送信機１０２２ａ乃至１０２２ｔからのＮＴ個の変調信号がそれぞれＮＴ個のアンテナ１０２４ａ乃至１０２４ｔから送信される。
【００８６】
モバイル・デバイス１０５０では、送信された変調信号が、ＮＲ個のアンテナ１０５２ａ乃至１０５２ｒによって受信され、各アンテナ１０５２からの受信信号が、それぞれの受信機（ＲＣＶＲ）１０５４ａ乃至１０５４ｒへ提供される。各受信機１０５４は、それぞれの信号を調整（例えば、フィルタ、増幅、およびダウンコンバート）し、調整された信号をデジタル化してサンプルを提供し、さらに、このサンプルを処理して、対応する「受信された」シンボル・ストリームを提供する。
【００８７】
ＲＸデータ・プロセッサ１０６０は、ＮＲ個の受信機１０５４からのＮＲ個のシンボル・ストリームを受信し、これらシンボル・ストリームを、特定の受信機処理技術に基づいて処理し、ＮＴ個の「検出された」シンボル・ストリームを提供する。ＲＸデータ・プロセッサ１０６０は、各検出されたシンボル・ストリームを復調、デインタリーブ、および復号して、データ・ストリーム用のトラフィック・データを復号する。ＲＸデータ・プロセッサ１０６０による処理は、基地局１０１０におけるＴＸデータ・プロセッサ１０１４およびＴＸ  ＭＩＭＯプロセッサ１０２０によって実行されるものと相補的である。
【００８８】
プロセッサ１０７０は、上述したように、どのプレコーディング・マトリクスを利用するのかを定期的に決定しうる。さらに、プロセッサ１０７０は、マトリクス・インデクス部とランク値部とを備える逆方向リンク・メッセージを定式化しうる。
【００８９】
逆方向リンク・メッセージは、通信リンクおよび／または受信したデータ・ストリームに関する様々なタイプの情報を備えうる。逆方向リンク・メッセージは、データ・ソース１０３６から、多くのデータ・ストリームのトラフィック・データを受信するＴＸデータ・プロセッサ１０３８によって処理され、変調器１０８０によって変調され、送信機１０５４ａ乃至１０５４ｒによって調整され、基地局１０１０へ送り戻される。
【００９０】
基地局１０１０では、モバイル・デバイス１０５０からの変調信号が、アンテナ１０２４によって受信され、受信機１０２２によって調整され、復調器１０４０によって復調され、ＲＸデータ・プロセッサ１０４２によって処理されて、モバイル・デバイス１０５０によって送信された逆方向リンク・メッセージが抽出される。さらに、プロセッサ１０３０は、ビーム形成重みを決定するためにどのプレコーディング・マトリクスを使用するかを決定するために、この抽出されたメッセージを処理しうる。
【００９１】
プロセッサ１０３０およびプロセッサ１０７０は、基地局１０１０およびモバイル・デバイス１０５０それぞれにおける動作を指示（例えば、制御、調整、管理等）しうる。プロセッサ１０３０およびプロセッサ１０７０はそれぞれ、プログラム・コードおよびデータを格納するメモリ１０３２およびメモリ１０７２と関連しうる。プロセッサ１０３０およびプロセッサ１０７０はまた、アップリンクおよびダウンリンクそれぞれの周波数推定値およびインパルス応答推定値を導出するための計算をも実行しうる。
【００９２】
本明細書に記載の実施形態は、ハードウェア、ソフトウェア、ファームウェア、ミドルウェア、マイクロコード、またはこれら任意の組み合わせで実施されうることが理解されるべきである。ハードウェアで実現する場合、これら処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能なゲート・アレイ（ＦＰＧＡ）、プロセッサ、コントローラ、マイクロ・コントローラ、マイクロプロセッサ、本明細書に記載の機能を実行するために設計されたその他の電子ユニット、またはこれらの組み合わせ内に実装されうる。
【００９３】
実施形態が、ソフトウェア、ファームウェア、ミドルウェアまたはマイクロコード、プログラム・コードまたはコード・セグメント）で実現される場合、それらは、たとえば記憶装置のような機械読取可能媒体に格納されうる。コード・セグメントは、手順、関数、サブプログラム、プログラム、ルーチン、サブルーチン、モジュール、ソフトウェア・パッケージ、クラス、または命令群からなる任意の組み合わせ、データ構造、またはプログラム文を表しうる。コード・セグメントは、情報、データ、引数、パラメータ、あるいはメモリ・コンテンツを引渡しおよび／または受信することによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引き渡し、転送、あるいは送信されうる。
【００９４】
ソフトウェアで実現する場合、本明細書に記載の技術は、本明細書に記載の機能を実行するモジュール（例えば、手順、関数等）を用いて実現されうる。ソフトウェア・コードは、記憶素子に格納され、プロセッサによって実行されうる。記憶素子は、プロセッサ内またはプロセッサ外に実装される。プロセッサ外に実装される場合、当該技術で周知の様々な手段によってプロセッサに通信可能に接続されうる。
【００９５】
図１１には、同期無線通信システムの異なるシンボル期間でビーコン・シンボルをブロードキャストするシステム１１００が例示される。例えば、システム１１００は、基地局内に少なくとも部分的に存在しうる。システム１１００は、プロセッサ、ソフトウェア、またはこれらの組み合わせ（例えば、ファームウェア）によって実現される機能を表す機能ブロックでありうる機能ブロックを含むものとして表されることが認識されるべきである。システム１１００は、連携して動作しうる電子部品の論理グループ１１０２を含む。例えば、論理グループ１１０２は、（例えば、ＯＦＤＭ通信環境において）スーパフレームを、１または複数のシンボル期間に分割するための電子部品１１０４を含みうる。例えば、シンボル期間は、無線通信に時間要素を加えるために利用されうる。したがって、デバイスは、例えば、送られたデータ、および／または、そのソースを特定するような目的のために、時間を用いて同期化されうる。さらに、論理グループ１１０２は、シンボル期間内での同期通信のための電子部品１１０６を備えうる。前述したように、例えば、これはタイマであったり、あるいは、ネットワーク内のデバイスが時間にしたがってデータを送信および受信できるようにする他のタイプのクロックでありうる。さらに、論理グループ１１０２は、別のセクタの第２のビーコン・シンボルとの衝突を回避するために、ビーコン・シンボルを送信するシンボル期間のうちの１つを選択する電子部品１１０８を含みうる。例によれば、システム１１００は、他のセクタとの衝突を緩和するために、ビーコン・シンボルを送る際に利用するシンボル期間に関連する情報を受信しうる。前述したように、この情報は、ネットワーク計画から得られ、他のデバイスから受信され、受信した他の情報等に基づいてシステム１１００によって区別される。さらに、論理グループ１１０２は、ビーコン・シンボルを選択された期間で送信するための電子部品１１１０を備えうる。この点について、ここで示すように、衝突が避けられうる。さらに、システム１１００は、電子部品１１０４、１１０６、１１０８、および１１１０に関連する機能を実行する命令群を保持するメモリ１１１２を含みうる。メモリ１１１２の外側にあると示されているが、電子部品１１０４、１１０６、１１０８、および１１１０のうちの１または複数は、メモリ１１１２内に存在しうることが理解されるべきである。
【００９６】
図１２に移って、異なる期間で送信される複数のビーコン・シンボルを受信するシステム１２００が例示される。システム１２００は、例えば、モバイル・デバイス内に存在することができる。図示するように、システム１２００は、プロセッサ、ソフトウェア、またはこれらの組み合わせ（例えば、ファームウェア）によって実現される機能を表しうる機能ブロックを含む。システム１２００は、ビーコン・シンボルの受信および復号を容易にする電子部品の論理グループ１２０２を含む。論理グループ１２０２は、無線通信ネットワークにおける同期通信のための電子部品１２０４を含みうる。例えば、前の図に関して記述したように、システム１２００は、区別可能な異なる期間において送信が生じうる同期通信構成で動作しうる。この情報は、送信に関するさらなる情報を生成するために使用されうる。さらに、論理グループ１２０２は、第１のビーコン・シンボルを、スーパフレーム内の第１のシンボル期間で受信する電子部品１２０６を含みうる。利用可能な帯域幅は、時間によって分割されうるので、シンボル期間は、情報を送信するために使用されうる。ビーコン・シンボルは、スーパフレーム内の１または複数の利用可能なシンボル期間で送られうる。他のシンボル期間の幾つかは、例えばデータを通信することのように、その他のデータを送信するために使用されうることが認識されるべきである。さらに、論理グループ１２０２は、スーパフレームの第２のシンボル期間で、第２のビーコン・シンボルを受信する電子部品１２０８を備えうる。この点において、スーパフレームの複数のシンボル期間が、ビーコン・シンボルを送信するために使用されうるので、送信しているセクタ間の衝突を緩和する。さらに、論理グループ１２０２は、ビーコン・シンボルを送信するセクタを特定するために、第１および第２のビーコン・シンボルを復号する電子部品１２１０を含みうる。例えば、ビーコン・シンボルは、例えば、識別情報および／または好適なキャリア情報のように、セクタに関する情報を備えうる。さらに、ビーコン・シンボルは、一例において、そのような情報を備えるビーコン・パターン全体の一部でありうる。さらに、システム１２００は、電子部品１２０４、１２０６、１２０８、１２１０に関連する機能を実行するための命令群を保持するメモリ１２１２を含みうる。電子部品１２０４、１２０６、１２０８、１２１０はメモリ１２１２の外側にあると示されているが、これら電子部品は、メモリ１２１２内に存在しうることが理解されるべきである。
【００９７】
上述したものは、１または複数の実施形態の例を含む。もちろん、前述した実施形態を記述する目的で、考えられる部品または方法の全ての組み合わせを記述することは可能ではないが、当業者であれば、様々な実施形態の更なる多くの組み合わせや置き換えが可能であることを理解することができる。したがって、説明した実施形態は、下記特許請求の範囲の精神およびスコープに入るそのような全ての変形、修正、および変更を含むことが意図される。さらに、用語「含む」が、詳細説明または特許請求の範囲の何れかで使用されている限り、そのような用語は、「備える」が請求項における遷移語として適用される場合に解釈されるように、用語「備える」と同様に包括的でありうることが意図される。
【図１】
2010508730.tif 000016
【図２】
2010508730.tif 000017
【図３】
2010508730.tif 000018
【図４】
2010508730.tif 000019
【図５】
2010508730.tif 000020
【図６】
2010508730.tif 000021
【図７】
2010508730.tif 000022
【図８】
2010508730.tif 000023
【図９】
2010508730.tif 000024
【図１０】
2010508730.tif 000025
【図１１】
2010508730.tif 000026
【図１２】
2010508730.tif 000027
【国際調査報告】
2010508730.tif 000028
2010508730.tif 000029
2010508730.tif 000030